【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
暗号化用の鍵である第１の鍵を用いて第１のデータを暗号化することで生成された第１の暗号化済みデータと、前記第１のデータよりもデータサイズの小さい第２のデータと、前記第１の鍵を用いて前記第２のデータを暗号化することで生成された第２の暗号化済みデータとを取得する取得手段と、
復号用の鍵である第２の鍵を用いて前記第２の暗号化済みデータを復号することで、第２の復号データを生成する復号手段と、
前記第２のデータと前記第２の復号データとが一致しているか否かを判定する判定手段とを備え、
前記復号手段は、前記判定手段が一致していると判定した場合には、更に、前記第２の鍵を用いて、前記第１の暗号化済みデータを復号することを特徴とする情報処理装置。
【請求項２】
前記第２のデータは、前記第１の暗号化済みデータのハッシュデータであることを特徴とする請求項１に記載の情報処理装置。
【請求項３】
更に、
前記取得手段が取得した前記第１の暗号化済みデータのハッシュデータを求める第１手段と、
前記第１手段が求めたハッシュデータと、前記第２のデータとが一致しているか否かを判定する第２手段と、
前記第２手段が一致していると判定した場合には前記判定手段、前記復号手段による処理を許可する許可手段と
を備えることを特徴とする請求項２に記載の情報処理装置。
【請求項４】
暗号化用の鍵である第１の鍵を用いて第１のデータを暗号化することで生成された第１の暗号化済みデータと、前記第１の鍵を用いて前記第１の鍵のデータを暗号化することで生成された第２の暗号化済みデータとを取得する取得手段と、
復号用の鍵である第２の鍵を用いて前記第２の暗号化済みデータを復号することで、第２の復号データを生成する復号手段と、
前記第２の鍵のデータと、前記第２の復号データとが、予め定められた関係を有しているか否かを判定する判定手段とを備え、
前記復号手段は、前記判定手段が前記予め定められた関係を有していると判定した場合には、更に、前記第２の鍵を用いて、前記第１の暗号化済みデータを復号することを特徴とする情報処理装置。
【請求項５】
前記第１の鍵と前記第２の鍵とが同じデータである場合、前記判定手段は前記第２の鍵のデータと、前記第２の復号データとが一致しているか否かを判定することを特徴とする請求項４に記載の情報処理装置。
【請求項６】
情報処理装置が行う情報処理方法であって、
前記情報処理装置が有する取得手段が、暗号化用の鍵である第１の鍵を用いて第１のデータを暗号化することで生成された第１の暗号化済みデータと、前記第１のデータよりもデータサイズの小さい第２のデータと、前記第１の鍵を用いて前記第２のデータを暗号化することで生成された第２の暗号化済みデータとを取得する取得工程と、
前記情報処理装置が有する復号手段が、復号用の鍵である第２の鍵を用いて前記第２の暗号化済みデータを復号することで、第２の復号データを生成する復号工程と、
前記情報処理装置が有する判定手段が、前記第２のデータと前記第２の復号データとが一致しているか否かを判定する判定工程とを備え、
前記復号工程では、前記判定工程で一致していると判定した場合には、更に、前記第２の鍵を用いて、前記第１の暗号化済みデータを復号することを特徴とする情報処理方法。
【請求項７】
情報処理装置が行う情報処理方法であって、
前記情報処理装置が有する取得手段が、暗号化用の鍵である第１の鍵を用いて第１のデータを暗号化することで生成された第１の暗号化済みデータと、前記第１の鍵を用いて前記第１の鍵のデータを暗号化することで生成された第２の暗号化済みデータとを取得する取得工程と、
前記情報処理装置が有する復号手段が、復号用の鍵である第２の鍵を用いて前記第２の暗号化済みデータを復号することで、第２の復号データを生成する復号工程と、
前記情報処理装置が有する判定手段が、前記第２の鍵のデータと、前記第２の復号データとが、予め定められた関係を有しているか否かを判定する判定工程とを備え、
前記復号工程では、前記判定工程で前記予め定められた関係を有していると判定した場合には、更に、前記第２の鍵を用いて、前記第１の暗号化済みデータを復号することを特徴とする情報処理方法。
【請求項８】
コンピュータを、請求項１乃至５の何れか１項に記載の情報処理装置が有する各手段として機能させるためのコンピュータプログラム。
【請求項９】
請求項８に記載のコンピュータプログラムを格納した、コンピュータ読み取り可能な記憶媒体。
【手続補正２】
【補正対象書類名】明細書
【補正対象項目名】０００５
【補正方法】変更
【補正の内容】
【０００５】
本発明の目的を達成するために、例えば、本発明の情報処理装置は、暗号化用の鍵である第１の鍵を用いて第１のデータを暗号化することで生成された第１の暗号化済みデータと、前記第１のデータよりもデータサイズの小さい第２のデータと、前記第１の鍵を用いて前記第２のデータを暗号化することで生成された第２の暗号化済みデータとを取得する取得手段と、
復号用の鍵である第２の鍵を用いて前記第２の暗号化済みデータを復号することで、第２の復号データを生成する復号手段と、
前記第２のデータと前記第２の復号データとが一致しているか否かを判定する判定手段とを備え、
前記復号手段は、前記判定手段が一致していると判定した場合には、更に、前記第２の鍵を用いて、前記第１の暗号化済みデータを復号することを特徴とする。
【手続補正３】
【補正対象書類名】明細書
【補正対象項目名】０００６
【補正方法】変更
【補正の内容】
【０００６】
本発明の目的を達成するために、例えば、本発明の情報処理装置は、暗号化用の鍵である第１の鍵を用いて第１のデータを暗号化することで生成された第１の暗号化済みデータと、前記第１の鍵を用いて前記第１の鍵のデータを暗号化することで生成された第２の暗号化済みデータとを取得する取得手段と、
復号用の鍵である第２の鍵を用いて前記第２の暗号化済みデータを復号することで、第２の復号データを生成する復号手段と、
前記第２の鍵のデータと、前記第２の復号データとが、予め定められた関係を有しているか否かを判定する判定手段とを備え、
前記復号手段は、前記判定手段が前記予め定められた関係を有していると判定した場合には、更に、前記第２の鍵を用いて、前記第１の暗号化済みデータを復号することを特徴とする。
【手続補正４】
【補正対象書類名】明細書
【補正対象項目名】０００７
【補正方法】変更
【補正の内容】
【０００７】
本発明の目的を達成するために、例えば、本発明の情報処理方法は、情報処理装置が行う情報処理方法であって、
前記情報処理装置が有する取得手段が、暗号化用の鍵である第１の鍵を用いて第１のデータを暗号化することで生成された第１の暗号化済みデータと、前記第１のデータよりもデータサイズの小さい第２のデータと、前記第１の鍵を用いて前記第２のデータを暗号化することで生成された第２の暗号化済みデータとを取得する取得工程と、
前記情報処理装置が有する復号手段が、復号用の鍵である第２の鍵を用いて前記第２の暗号化済みデータを復号することで、第２の復号データを生成する復号工程と、
前記情報処理装置が有する判定手段が、前記第２のデータと前記第２の復号データとが一致しているか否かを判定する判定工程とを備え、
前記復号工程では、前記判定工程で一致していると判定した場合には、更に、前記第２の鍵を用いて、前記第１の暗号化済みデータを復号することを特徴とする。
【手続補正５】
【補正対象書類名】明細書
【補正対象項目名】０００８
【補正方法】変更
【補正の内容】
【０００８】
本発明の目的を達成するために、例えば、本発明の情報処理方法は、情報処理装置が行う情報処理方法であって、
前記情報処理装置が有する取得手段が、暗号化用の鍵である第１の鍵を用いて第１のデータを暗号化することで生成された第１の暗号化済みデータと、前記第１の鍵を用いて前記第１の鍵のデータを暗号化することで生成された第２の暗号化済みデータとを取得する取得工程と、
前記情報処理装置が有する復号手段が、復号用の鍵である第２の鍵を用いて前記第２の暗号化済みデータを復号することで、第２の復号データを生成する復号工程と、
前記情報処理装置が有する判定手段が、前記第２の鍵のデータと、前記第２の復号データとが、予め定められた関係を有しているか否かを判定する判定工程とを備え、
前記復号工程では、前記判定工程で前記予め定められた関係を有していると判定した場合には、更に、前記第２の鍵を用いて、前記第１の暗号化済みデータを復号することを特徴とする。